(57)【要約】【課題】各種情報が表示されるモニタの画像表示方法に操作上、外観上のわかり易さ、馴染み易さを与えることのできる情報表示装置を提供する。【解決手段】本発明に係る情報表示装置は、モニタ１６に対して画像信号を出力しモニタ１６に画像を表示させる表示制御手段３１、３４と、モニタ１６に表示された画像の一部を選択するための選択手段６、２０とを有している。表示制御手段３１、３４は、環状の情報表示部を形成するベースリング５８と、選択手段６、２０により選択可能であってベースリング５８の周囲に配置されるサテライトボタン５９ａ〜５９ｉとをモニタ１６に表示させる。【選択図】　図６
2004013609.tif 000002
【特許請求の範囲】
【請求項１】
モニタに対して画像信号を出力し前記モニタに画像を表示させる表示制御手段と、前記モニタに表示された画像の一部を選択するための選択手段とを有し、
前記表示制御手段は、環状の情報表示部を形成するベースリングと、前記選択手段により選択可能であって前記表示部の周囲に配置されるサテライトボタンとを表示させることを特徴とする情報表示装置。
【請求項２】
前記表示制御手段は、実行させるアプリケーションの機能を実現するために必要な数のサテライトボタンを表示させることを特徴とする請求項１に記載の情報表示装置。
【請求項３】
前記サテライトボタンが前記モニタに複数表示されている場合において、前記表示制御手段は、前記アプリケーションの機能ごとに前記サテライトボタンを区分けして配置させることを特徴とする請求項２に記載の情報表示装置。
【請求項４】
前記選択手段はコントローラであって、前記コントローラを機能ごとに区分けられたサテライトボタン群の配置位置方向に操作することにより、前記サテライトボタン群の選択を行い、前記コントローラを前記サテライトボタン群内の前記サテライトボタンの配列方向に操作することによって、前記サテライトボタン群の中から前記サテライトボタンを選択することを特徴とする請求項３に記載の情報表示装置。
【請求項５】
前記表示制御手段は、前記選択手段により選択されたサテライトボタンを反転表示させることを特徴とする請求項１乃至請求項４のいずれか１項に記載の情報表示装置。
【請求項６】
前記表示制御手段は、前記選択手段により選択されたサテライトボタンを拡大表示させることを特徴とする請求項１乃至請求項５のいずれか１項に記載の情報表示装置。
【請求項７】
前記表示制御手段は、実行されるアプリケーションに関する情報を、前記情報表示部に表示させることを特徴とする請求項１乃至請求項６のいずれか１項に記載の情報表示装置。
【請求項８】
前記表示制御手段は、実行させるアプリケーションに関する情報を、前記ベースリングの外部側方に表示させることを特徴とする請求項１乃至請求項７のいずれか１項に記載の情報表示装置。
【請求項９】
前記表示制御手段は、実行させるアプリケーションに関するデータを入力するためのボタンであって前記選択手段により選択可能な情報入力ボタンを、前記ベースリングの外部側方に表示させることを特徴とする請求項１乃至請求項８のいずれか１項に記載の情報表示装置。
【発明の詳細な説明】
【０００１】
【発明の属する技術分野】
本発明は、例えば車両に搭載されて運転者に各種情報を呈示する情報表示装置に関する。
【０００２】
【従来の技術】
近年、カーナビゲーションシステムの普及等に代表されるような車両の情報化を背景として、液晶等のモニタが車載される機会が非常に多くなってきている。そのようなモニタには、カーナビゲーション用の地図画像のみならず、ＴＶ放送、オーディオ機器関連情報、交通情報、電話番号情報、車載カメラによる撮影映像等の各種の画像が切り替えて表示されることもあり、運転者はモニタを窓口として集約された各種情報を把握し、運転その他の操作を行っている。
【０００３】
【発明が解決しようとする課題】
ところで、上記のように様々な画像がモニタに切り替えて表示される場合、その画像のソースや目的をも超えて表示に統一感が与えられていたとは必ずしも言い難く、特にモニタに表示される画像が運転者に何らかの操作を要求するものである場合には、運転者がその画像固有の操作方法を覚えていなければ操作に戸惑って、結局は目的を達し得ないこともあった。
【０００４】
特にモニタがこれまでのようにナビゲーション装置、オーディオ装置等のある機能を有する機器の共通の表示装置として使用されるのではなく、ナビゲーション機能もオーディオ機能も有する汎用性のあるコンピュータの表示装置として使用される場合には、アプリケーション上で表示の統一感を図っておくことが望ましい。
【０００５】
本発明は、上記の事情に鑑みて為されたもので、各種情報が表示されるモニタの画像表示方法に操作上、外観上のわかり易さ、馴染み易さを与えることのできる情報表示装置を提供することを課題としている。
【０００６】
【課題を解決するための手段】
上記課題を解決するため、請求項１に係る発明は、モニタに対して画像信号を出力し前記モニタに画像を表示させる表示制御手段と、前記モニタに表示された画像の一部を選択するための選択手段とを有し、前記表示制御手段は、環状の情報表示部を形成するベースリングと、前記選択手段により選択可能であって前記表示部の周囲に配置されるサテライトボタンとを表示させる情報表示装置であることを特徴とする。
【０００７】
請求項２に係る発明は、請求項１に記載の情報表示装置において、前記表示制御手段が、実行させるアプリケーションの機能を実現するために必要な数のサテライトボタンを表示させることを特徴とする。
【０００８】
請求項３に係る発明は、請求項２に記載の情報表示装置であって、前記サテライトボタンが前記モニタに複数表示されている場合において、前記表示制御手段が、前記アプリケーションの機能ごとに前記サテライトボタンを区分けして配置させることを特徴とする。
【０００９】
請求項４に係る発明は、請求項３に記載の情報表示装置において、前記選択手段がコントローラであって、前記コントローラを機能ごとに区分けられたサテライトボタン群の配置位置方向に操作することにより、前記サテライトボタン群の選択を行い、前記コントローラを前記サテライトボタン群内の前記サテライトボタンの配列方向に操作することによって、前記サテライトボタン群の中から前記サテライトボタンを選択することを特徴とする。
【００１０】
請求項５に係る発明は、請求項１乃至請求項４のいずれか１項に記載の情報表示装置において、前記表示制御手段が、前記選択手段により選択されたサテライトボタンを反転表示させることを特徴とする。
【００１１】
請求項６に係る発明は、請求項１乃至請求項５のいずれか１項に記載の情報表示装置において、前記表示制御手段が、前記選択手段により選択されたサテライトボタンを拡大表示させることを特徴とする。
【００１２】
請求項７に係る発明は、請求項１乃至請求項６のいずれか１項に記載の情報表示装置において、前記表示制御手段が、実行されるアプリケーションに関する情報を前記情報表示部に表示させることを特徴とする。
【００１３】
請求項８に係る発明は、請求項１乃至請求項７のいずれか１項に記載の情報表示装置において、前記表示制御手段が、実行させるアプリケーションに関する情報を、前記ベースリングの外部側方に表示させることを特徴とする。
【００１４】
請求項９に係る発明は、請求項１乃至請求項８のいずれか１項に記載の情報表示装置において、前記表示制御手段が、実行させるアプリケーションに関するデータを入力するためのボタンであって前記選択手段により選択可能な情報入力ボタンを、前記ベースリングの外部側方に表示させることを特徴とする。
【００１５】
【発明の実施の形態】
本発明の実施の形態を図面に基づいて説明する。
【００１６】
図１は、本発明に係る情報表示装置としての車載型パーソナルコンピュータを示している。このコンピュータ１は、２ＤＩＮのサイズを有して車両のダッシュボードに設置可能であり、その正面にはオープン／クローズキー２と、ディスプレイキー３と、チルトキー４と、スタンバイキー５と、操作ボタン６ａ〜６ｅと、コネクタ７と、カードスロット８と、ＵＳＢポート９と、ＣＤ、ＤＶＤ等のデジタルディスクが挿入されるディスク挿入口１０と、ディスクイジェクトボタン１１と、音量調整つまみ１２と、ミュートボタン１３とが設けられている。
【００１７】
オープン／クローズキー２が操作されると、本体部１４に収納されていたディスプレイ部１５が前方にスライドした後に起立して、図２に示すように液晶モニタ１６が現れる。モニタ１６の起立角度はチルトキー４により調整可能であり、モニタ１６の下方には操作ボタン１７ａ〜１７ｄが設けられている。また、この状態でオープン／クローズキー２が操作されると、ディスプレイ部１５が上記とは逆の過程を経て本体部１４に収納される。モニタ１６には後述のように各種画像が表示されるが、ディスプレイキー３は、後述するＤＶＤビデオ用及びＴＶ画面用のアプリケーションではワイド／ノーマル切り替え、カーナビゲーション用のアプリケーションでは無効、その他のアプリケーションではモニタ１６の表示をスクリーンセーバーに切り替える。
【００１８】
このコンピュータ１の内部回路は、図３に示すように概略構成されている。操作ボタン６ａ〜６ｅ（同図においては「操作ボタン６」と記載）の操作情報は、そのボタン操作の状態を判定するキーマイコン１８を介してデータ変換部１９に入力される。操作ボタン１７ａ〜１７ｄ、チルトキー４、スタンバイキー５等の他のボタンの操作情報も、キーマイコン１８を介してデータ変換部１９に入力されるが、図３においては図示を省略している。
【００１９】
一方、モニタ１６には画面上の所定位置の押下げを検知するためのタッチキーセンサ２０が設けられ、その押下げの情報はキーマイコン２１を介してデータ変換部１９に入力される。このタッチキーセンサ２０は、画面上の指の接触位置（タッチ位置）を検知できればどのような方式を用いたものであってもよく、一般的に用いられる抵抗膜式タッチパネルの他、超音波式、光学式、静電容量式、電磁誘導式等の方式を用いたものであってもよい。
【００２０】
また、データ変換部１９には、高度道路交通システム（ＩＴＳ：Ｉｎｔｅｌｌｉｇｅｎｔ　Ｔｒａｎｓｐｏｒｔ　Ｓｙｓｔｅｍｓ）を実現するために必要な情報、例えばＥＴＣ（Ｅｌｅｃｔｒｏｎｉｃ　Ｔｏｌｌ　Ｃｏｌｌｅｃｔｉｏｎ　Ｓｙｓｔｅｍ）信号や、ナビゲーション機能の実現に必要なＧＰＳ信号、車速パルス、そしてＶＩＣＳ用のＦＭ多重信号等が入力され、これらの入力信号についてローカルバス２２に転送するための必要なデータ変換が行われる。データ変換部１９にはデータ通信用のコネクタ７がモデム２３を介して接続され、コネクタ７に携帯電話やＰＨＳが接続されてデータ通信が行われる場合にはデータ変換部１９は送受信データのデータ変換処理を実行する。
【００２１】
カードスロット８はＰＣＭＣＩＡバス変換部２４に接続され、ＰＣＭＣＩＡバス変換部２４はカードスロット８に挿入されたＰＣカード等の記録媒体に記録されたデータをローカルバス２２に転送するためのデータ変換を行う。なお、このカードスロット８に通信カードを挿入して利用することも可能である。
【００２２】
ＵＳＢポート９はＵＳＢバス変換部２５に接続され、ＵＳＢバス変換部２５はＵＳＢポート９より転送されるデータをローカルバス２２に転送するためのデータ変換を行う。
【００２３】
ディスク挿入口１０に挿入されたデジタルディスクは、ディスクドライブ２６及びＲＯＭデコーダ２７により構成されるディスクメカモジュール２８のそのディスクドライブ２６にてデータが読み取られ、読み取られたデータがＲＯＭデコーダ２７にてデコードされる。ＲＯＭデコーダ２７にはＡＴＡＰＩ／ローカルバス変換部２９が接続され、ＡＴＡＰＩ／ローカルバス変換部２９はローカルバス２２及びスイッチ部３０に接続されている。このＡＴＡＰＩ／ローカルバス変換部２９は、ＲＯＭデコーダ２７より出力されるＡＴＡＰＩの出力をローカルバス形式に変換する。
【００２４】
この回路を統合制御するＣＰＵ３１は、フラッシュメモリ３２に記憶されたＯＳ（例えばマイクロソフト社のＷｉｎｄｏｗｓ　ＣＥ（登録商標））及びカーナビゲーション用、ＤＶＤビデオ再生用、音楽再生用、電子メール用等の各種アプリケーションを実行する。フラッシュメモリ３２に対する各種アプリケーションプログラムの記憶は、例えばディスクメカモジュール２８にプログラムが記録されたディスクをセットすることにより行われ、そのフラッシュメモリ３２とは別途に本回路にはワークメモリとしてＲＡＭ３３が設けられている。また、フラッシュメモリ３２にブートローダーのみを記憶させ、ＯＳやアプリケーションをＲＡＭ３３に記憶させる構成としても良い。なお、フラッシュメモリ３２やＲＡＭ３３の代わりにハードディスクドライブ等を用いても良い。
【００２５】
ＣＰＵ３１が上記カーナビゲーション用のアプリケーションを実行するときには、ディスクメカモジュール２８に装填されたＤＶＤＲＯＭディスクより地図データが読み取られ、ＣＰＵ３１により自車位置や走行経路の演算等が行われ、これらのデータがＡＴＡＰＩ／ローカルバス変換部２９を経て又は直接的にローカルバス２２に送出されてこれに接続されたグラフィックチップ３４に転送される。グラフィックチップ３４は、送られてきたデータを画像処理用のＲＡＭ３５とともに地図描画用に処理してモニタ１６にＲＧＢ信号として出力し、これによりモニタ１６には地図、自車位置、走行経路等が表示される。
【００２６】
ＣＰＵ３１がＤＶＤビデオ再生用のアプリケーションを実行するときには、ディスクドライブ２６において読み取られたＤＶＤビデオディスクのデータ信号がＲＯＭデコーダ２７を経て出力され、そのうちの映像信号はＭＰＥＧデコーダ３６、ビデオエンコーダ３７、スイッチ部３８を介してモニタ１６に動画像として出力される。一方、音声信号は、ＡＴＡＰＩ／ローカルバス変換部２９、ローカルバス２２、オーディオＤＳＰ３９、Ｄ／Ａ変換部４０、スイッチ部３０，４１及びアンプ４２を介してスピーカー４３より出力される。なお、スイッチ部３８にはＴＶチューナー４４及びアンテナ４５が接続され、モニタ１６にＴＶ放送を映し出すときにはモニタ１６のコンポジット側の入力がスイッチ部３８によりビデオエンコーダ３７からＴＶチューナ４４に切り替えられる。また、スイッチ部４１にはＡＭ／ＦＭチューナ４６及びＴＶチューナ４４が接続され、スピーカー４３にラジオ放送を流すときにはアンプ４２の入力がスイッチ部４１によりスイッチ部３０からＡＭ／ＦＭチューナ４６に切り替えられ、スピーカー４３にＴＶ放送の音声を流すときにはアンプ４２の入力がスイッチ部４１によりＴＶチューナ４４に切り替えられる。なお、スピーカ−４３やアンプ４２は車載用パーソナルコンピュータ１の外部に設けても良い。
【００２７】
ＣＰＵ３１が音楽再生用のアプリケーション（ここでは、マイクロソフト社のＷｉｎｄｏｗｓ　Ｍｅｄｉａ　Ｐｌａｙｅｒ）を実行するときには、例えばＤＶＤディスク若しくはＣＤディスクに記録されたオーディオ圧縮ファイル（ＭＰ３等）又はＤＶＤディスクに記録された音楽データが、ＡＴＡＰＩ／ローカルバス変換部２９及びローカルバス２２を経てオーディオＤＳＰ３９に送られる。オーディオＤＳＰ３９ではデータの伸張等の適宜の処理が行われ、このデータがさらにＤ／Ａ変換部４０、スイッチ部３０，４１及びアンプ４２を経てスピーカー４３により出力される。また、ＣＤディスクに記録された音楽データが再生されるときには、スイッチ部３０がＤ／Ａ変換部４０からＡＴＡＰＩ／ローカルバス変換部２９に切り替えられ、ＡＴＡＰＩ／ローカルバス変換部２９の出力がスイッチ部３０，４１及びアンプ４２を経てスピーカー４３により出力される。
【００２８】
つぎに、このコンピュータ１のモニタ１６の表示について説明する。以下で説明する各表示は、主にＣＰＵ３１、フラッシュメモリ３２、ＲＡＭ３３、グラフィックチップ３４及びＲＡＭ３５により制御されている。
【００２９】
オープン／クローズキー２を操作してディスプレイ部１５を使用状態とし、コンピュータ１を起動させると、ディスプレイ部１５のモニタ１６にはまず図４に示す時計画面５０が現れて現在時刻及び年月日が表示される。この状態でスタンバイキー５が押されると、モニタ１６には図５に示すスタートメニュー画面５１が表示され、以降、そのスタンバイキー５の操作ごとに時計画面５０の表示とスタートメニュー画面５１の表示とが繰り返される。
【００３０】
スタートメニュー画面５１はコンピュータ１が有している機能を選択するための画面であり、このスタートメニュー画面５１には各機能に対応したアプリケーションを起動するためのアイコン５２ａ〜５２ｌと、画面左端に位置するスクロールダイヤル５３と、スクロールダイヤル５３の右側に位置するポジションバー５４とが設けられている。
【００３１】
スクロールダイヤル５３は円盤状又は円環状を呈し、その左側の一部のみが表示されて他の部分が画面５１の地の領域５５により隠されている。モニタ１６上でこのスクロールダイヤル５３の上部又は下部を指でタッチするか、スクロールダイヤル５３をあたかも回転させるかのように上方又は下方に指で擦ると、スクロールダイヤル５３は画面上で上方（矢印Ａ方向）又は下方（矢印Ａ’方向）に回転表示され、これに伴いスタートメニュー画面５１の内容が上下にスクロールする。すなわち、例えば図５（ａ）に示す状態でスクロールダイヤル５３を下方に回転させ、スタートメニュー画面５１を下方にスクロールさせると、スクロール可能な範囲における現在のスクロール位置を示すポジションバー５４のインジケータ５６が同図（ｂ）に示すように下降し、画面上部に表示されていたアイコン５２ａ〜５２ｃが消失して新たなアイコン５２ｊ〜５２ｌが画面下部に表示される。なお、図示を省略したリモコン（コントローラ、操作部）の操作キーを操作してスクロールダイヤル５３の上部又は下部をクリックした場合も同様である。また、リモコンに回転可能なダイヤルを設け、これを回転させるとスクロールダイヤル５３が回転表示され、画面がスクロールするようにしても良い。
【００３２】
スタートメニュー画面５１においてアイコン５２ａが選択されると、モニタ１６には図６に示すラジオ画面５７が表示される。このラジオ画面５７には、画面中央よりもやや左側に配置された円環状のベースリング５８と、ベースリング５８に沿ってその周囲に設けられたサテライトボタン５９ａ〜５９ｉとが表示されている。ラジオ画面５７が表示されるとスピーカー４３からはラジオ放送が流れ、画面右側のスペースには受信放送局と受信周波数とが表示される。
【００３３】
ベースリング５８の内部には、受信している放送局についての静止画や動画、又は音声に対応して変化する映像等が表示される情報表示部が形成されており、図６においては受信放送局のマスコットが表示されている。なお、ベースリング５８はモニタ１６の長手方向に延びる楕円形状あるいは矩形状であっても良く、後述する各種アプリケーションの場合も同様である。
【００３４】
サテライトボタン５９ａ〜５９ｉは、ラジオ画面５７において可能な操作をアイコンを用いて示し、機能ごとに左右に分けて配置されている。右側のサテライトボタン群には、チューニングに関するボタンが集められ、オートストアあるいはプリセットスキャンを行うサテライトボタン５９ａ（ＡＳ／ＰＳボタン）と、チューニングモードを切り換えるサテライトボタン５９ｂ（Ｔ．ＭＯＤＥボタン）と、チャンネルの切替えを行うサテライトボタン５９ｃ，５９ｄ（チャンネル切替ボタン）とが設けられている。一方、左側のサテライトボタン群には、他の機能に関するボタンが集められ、ベースリング５８の内部に表示される画像を切り替えるサテライトボタン５９ｅ（画像切替ボタン）と、ラジオ放送局のホームページアドレス一覧を表示させるサテライトボタン５９ｆ（放送局ＨＰボタン）と、ＦＭ文字多重放送を表示させるサテライトボタン５９ｇ（文字ボタン）と、受信周波数を道路交通情報に合わせるサテライトボタン５９ｈ（ＩＲＳボタン）と、ＦＭ／ＡＭのバンドを切り替えるサテライトボタン５９ｉ（バンド切替ボタン）とが設けられている。
【００３５】
これらのサテライトボタン５９ａ〜５９ｉは、モニタ１６を指先で直接タッチすることにより選択操作（この場合は機能実行）することができるほか、リモコンの操作キーを操作して画面中のカーソルを動かすことにより選択操作することができる。画面中のカーソルとは、例えばカーソルがある位置のサテライトボタンが反転表示されたり拡大表示されたりすることにより認識することが可能なもので、以降の説明においても画像の一部、あるいはアイコン等を選択あるいはクリックする際にはこのタッチパネル方式とカーソル方式との双方が用いられ得る。カーソル方式によりサテライトボタン５９ａ〜５９ｉの選択を行う場合には、リモコンの操作キーを左右方向に操作することによって機能ごとに区分けされたサテライト群を選択し、この操作キーを上下方向に操作を行うことによってサテライト群内のサテライトボタンの選択を行う。カーソル方式では、サテライトボタンの選択後にリモコンの実行キーを押下することによって選択されたボタンの機能が実行される。
【００３６】
ラジオ画面５７の下部には、第一のタブとしてのリストボタン６０が表示されている。このリストボタン６０がクリックされると（すなわち、指でモニタ１６がタッチされると、以下同様）、図７に示すようにリストボタン６０は画面上部に向けて移動するとともに、このリストボタン６０に続く表示幕６１が引き上げられるように順次露出表示されて、図８に示すように表示幕６１が完全に表示される。表示幕６１が完全に表示された状態でリストボタン６０がクリックされると、表示幕６１が引き下ろされるようにして画面下部に退出消去され、再度図６に示すような画面表示となる。
【００３７】
ラジオ画面５７の上部には第二のタブとしてリストチェンジボタン６２が表示されている。図６においてはそのリストチェンジボタン６２の表示が「放送局リスト」となっているが、「放送局リスト」と表示された状態でリストボタン６０がクリックされると、表示幕６１には放送局のリストが表示される。
【００３８】
図８に示すように、表示幕６１には、放送局名及び周波数が組になって縦方向に並んで表示されており、この放送局名及び周波数はフラッシュメモリ３２等に組ごとに記憶されている。表示幕６１の左端にはスクロールダイヤル６３が、その右側にはポジションバー６４が表示されるが、これらの機能は上記図５（ａ）のスタートメニュース画面５１におけるスクロールダイヤル５３及びポジションバー５４と同様であるので説明を省略する。表示幕６１が表示されている状態でリストチェンジボタン６２がクリックされると、リストチェンジボタン６２の表示が「放送局リスト」から「プリセットリスト」へと変わり、リストボタン６０が画面下部に向けて移動するとともに表示幕６１が引き下ろされるように順次退出消去される。そして、リストボタン６０が画面下部に達すると、今度はリストボタン６０が再度画面上部に向けて移動するとともに、図９に示すようにプリセットリストが表示された新たな表示幕６５が引き上げられるように順次露出表示される。表示幕６５にはプリセットチャンネルに対応した放送局がリスト表示され、スクロールダイヤル６６及びポジションバー６７（それぞれスクロールダイヤル６３及びポジションバー６４と同様）が表示されている。プリセットリストは、ユーザが登録した任意の放送局と周波数とが組になって配列されたものであり、フラッシュメモリ３２等に記憶されている。
【００３９】
なお、図６に示す状態でリストチェンジボタン６２をクリックすると、その表示が「放送局リスト」から「プリセットリスト」に変更されるが、この状態でリストボタン６０をクリックすることにより、表示幕６１を経ることなく直接図９の画面（表示幕６５）に至ることができる。また、ここではリストチェンジボタンは画面上部右側のみならず画面上部左側にも用意されており、そのリストチェンジボタン６８を操作してもリストチェンジボタン６２を操作したと同様の結果が得られる。
【００４０】
ところで、ディスプレイ部１５の操作ボタン１７ｃ（戻るボタン）を操作するとモニタ１６の表示が前画面に戻り、操作ボタン１７ａ（スタートボタン）を操作するとスタートメニュー画面５１に戻るが、このようにスタートメニュー画面５１に戻った状態でアイコン５２ｂが選択されると、モニタ１６には図１０に示すメディアプレーヤー画面６９が表示される。
【００４１】
メディアプレーヤー画面６９は、上記Ｗｉｎｄｏｗｓ　Ｍｅｄｉａ　Ｐｌａｙｅｒによる音楽再生用の画面であり、このメディアプレーヤー画面６９には、画面中央よりもやや左側に配置されたベースリング７０と、ベースリング７０に沿ってその周囲に設けられたサテライトボタン７１ａ〜７１ｇとが表示されている。メディアプレーヤー画面６９の画面右側のスペースには、現在再生している（又は再生しようとしている）曲目等が表示され、画面右下にはプレイタイム（再生経過時間）が表示される。
【００４２】
ベースリング７０の内部には、その再生している（又は再生しようとしている）曲についてのアルバムジャケットやプロモーション映像等が表示される。サテライトボタン７１ａ〜７１ｇは左右のサテライトボタン群に分けて配置され、右側のサテライトボタン群には基本的操作及び画像効果に関するボタンが、左側のサテライトボタン群には特殊再生に関するボタンが集められている。具体的には、右側のサテライトボタン群には、ベースリング７０の内部に表示される画像を切り替えるサテライトボタン７１ａ（画像切替ボタン）と、再生／一時停止用のサテライトボタン７１ｂと、頭出し（早送り）用のサテライトボタン７１ｃと、頭出し（巻戻し）用のサテライトボタン７１ｄとが設けられている。一方、左側のサテライトボタン群には、スキャン再生用のサテライトボタン７１ｅと、リピート再生用のサテライトボタン７１ｆと、ランダム再生用のサテライトボタン７１ｇとが設けられている。
【００４３】
メディアプレーヤー画面６９の下部には、リストボタン７２が表示されている。このリストボタン７２がクリックされると、リストボタン７２は画面上部に向けて移動するとともに、このリストボタン７２に続く表示幕７３が引き上げられるように順次露出表示される（図１１、図１２）。メディアプレーヤー画面６９の上部左右にはリストチェンジボタン７４，７５が表示され、このリストチェンジボタン７４又はリストチェンジボタン７５がクリックされるとリストチェンジボタン７４における表示が「ＭＡＩＮ　ＳＬＯＴ」から「ＣＡＲＤ　ＳＬＯＴ」に変更され、例えば図１０に示す状態でリストチェンジボタン７４における表示が「ＣＡＲＤ　ＳＬＯＴ」に変更されるとモニタ１６には図１３に示す画面が表示され、図１２に示す状態でリストチェンジボタン７４における表示が「ＣＡＲＤ　ＳＬＯＴ」に変更されるとモニタ１６には表示幕７３が退出消去された後に新たな表示幕７６が露出表示された図１４に示す画面が表示される。
【００４４】
なお、リストチェンジボタン７４における「ＭＡＩＮ　ＳＬＯＴ」、「ＣＡＲＤ　ＳＬＯＴ」の表示は、ディスク挿入口１０に挿入されたデジタルディスクとカードスロット８に挿入されたＰＣカードのいずれの記録媒体についての情報かを区別している。また、表示幕７３にはスクロールダイヤル７７及びポジションバー７８が、表示幕７６にはスクロールダイヤル７９及びポジションバー８０がそれぞれ表示され、例えば図１２においてリスト表示されている「ショパン全集１」はアルバムのタイトルなので、そのリスト項目ボタン８２をクリックするとアルバムに含まれる詳細な曲名が同図と同様にリスト表示される。
【００４５】
スタートメニュー画面５１においてアイコン５２ｇが選択されると、モニタ１６には図１５に示すメール画面８３が表示される。このメール画面８３には、画面中央部に配置されたベースリング８４と、ベースリング８４に沿ってその周囲に設けられたサテライトボタン８５ａ〜８５ｄとが表示されている。また、メール画面８３の下部にはリストボタン８６が表示され、上部左右にはリストチェンジボタン８７，８８が表示され、リストチェンジボタン８７又はリストチェンジボタン８８がクリックされると、カーソルの位置するサテライトボタンが変化する。同図においては、受信箱のサテライトボタン８５ｃがカーソルにより選択されており、この状態でリストボタン８６をクリックすると表示幕８９が露出表示されて受信箱にあるメールがリスト表示され（図１６）、例えばリスト項目ボタン９０をクリックするとこれに対応するメールの内容が表示される（図１７）。
【００４６】
表示幕８９においては、その中央にメールがリスト表示されるとともに、画面左側にはスクロールダイヤル９１及びポジションバー９２が、画面右側には送受信ボタン９３、新規メールボタン９４及び並べ替えボタン９５が表示されている。この画面において送受信ボタン９３がクリックされると、図１８に示すようにメールの送受信が行われ、新規メールボタン９４がクリックされると、図１９に示すようにメール作成画面が表示され、このメール作成画面で件名、宛先又は本文のいずれかの欄がクリックされると、図２０に示すように文字入力のためのキーボード画面が表示される。
【００４７】
スタートメニュー画面５１においてアイコン５２ｈが選択されると、モニタ１６には図２１に示す電話画面９６が表示される。この電話画面９６には、画面中央よりもやや左側に配置されたベースリング９７と、ベースリング９７に沿ってその周囲に設けられたサテライトボタン９８ａ〜９８ｅとが表示され、画面右側のスペースには電話番号等のデータ入力用のテンキーボタン９９が表示されている。
【００４８】
サテライトボタン９８ａ〜９８ｅは、通話の基本操作に関するサテライトボタン群とテンキーボタン９９による入力をクリアするためのサテライトボタン９８ｅ（クリアボタン）とに分けて配置され、サテライトボタン群は、回線接続用のサテライトボタン９８ａと、回線切断用のサテライトボタン９８ｂと、短縮ダイアル用のサテライトボタン９８ｃと、リダイアル用のサテライトボタン９８ｄとからなる。
【００４９】
電話画面９６の下部には、リストボタン１００が表示され、上部左右にはリストチェンジボタン１０１，１０２が表示されている。リストチェンジボタン１０１又はリストチェンジボタン１０２がクリックされると、リストチェンジボタン１０１における表示が「番号リスト」、「発信履歴」、「着信履歴」と変更され、リストボタン１００のクリックにより現れるそれぞれの表示に対応した表示幕１０３，１０４，１０５は、図２２、図２３、図２４に示すようになっている。
【００５０】
図２２に示す表示幕１０３においては、画面中央に電話番号のリストボタンが、その右側には選択されているリストボタンに対応する登録者の写真等及び電話番号が表示される。この実施の形態では、各リストボタンには登録者の氏名と固定電話、携帯電話の別が表示されている。そのリストボタンの左側にはスクロールダイヤル１０６及びポジションバー１０７と、５０音別インデックス１０８とが表示されている。
【００５１】
図２３に示す表示幕１０４においては、画面中央に発信履歴のリストボタンが、その右側には選択されているリストボタンに対応する登録者の写真等及び電話番号が表示される。各リストボタンには、発信日時と発信先の氏名並びに固定電話、携帯電話の別が表示されている。そのリストボタンの左側にはスクロールダイヤル１０９及びポジションバー１１０が表示されている。
【００５２】
図２４に示す表示幕１０５においては、画面中央に着信履歴のリストボタンが、その右側には選択されているリストボタンに対応する登録者の写真等及び電話番号が表示される。各リストボタンには、着信日時と発信元の氏名並びに固定電話、携帯電話の別が表示されている。そのリストボタンの左側にはスクロールダイヤル１１１及びポジションバー１１２が表示されている。この画面において、例えばリスト項目ボタン１１３がクリックされると表示幕１０５が消失して図２５に示すような画面となり、ここでサテライトボタン９８ａをクリックすると遠藤氏の固定電話（図２４参照）に電話がかけられる。
【００５３】
スタートメニュー画面５１においてアイコン５２ｉが選択されると、モニタ１６には図２６に示すスケジューラー画面１１４が表示される。このスケジューラー画面１１４には、画面中央部に配置されたベースリング１１５と、ベースリング１１５に沿ってその周囲に設けられたサテライトボタン１１６ａ〜１１６ｃとが表示されている。また、スケジューラー画面１１４の下部にはリストボタン１１７が表示され、上部左右にはリストチェンジボタン１１８，１１９が表示され、リストチェンジボタン１１８又はリストチェンジボタン１１９がクリックされるとカーソルの位置するサテライトボタンが変化する。同図においては、カレンダー（月リスト）のサテライトボタン１１６ａがカーソルにより選択されており、この状態でリストボタン１１７をクリックすると図２７に示すように表示幕１２０が露出表示される。
【００５４】
表示幕１２０には、その月から翌月にかけてのカレンダーと、スクロールダイヤル１２１及びポジションバー１２２が表示される。カレンダーの各日付における四角形のマーク１２３は、その日に入っている予定に合わせて付されており、同図の画面において例えば２４日がクリックされると図２８に示す新たな表示幕１２４が表示され、２４日の詳細な予定が示される。表示幕１２４には、中央に予定リストが、その左側にスクロールダイヤル１２５、ポジションバー１２６及び日付インデックス１２７が、その右側に新規予定、新規予約入力用のボタン１２８，１２９が設けられ、この表示幕１２４は、スケジューラー画面１１４において日リストのサテライトボタン１１６ｂが選択された状態でリストボタン１１７がクリックされても表示される。
【００５５】
スケジューラー画面１１４において直近リストのサテライトボタン１１６ｃが選択された状態でリストボタン１１７がクリックされると、図２９に示す表示幕１３０が表示される。この表示幕１３０には、中央に現在から直近までの６件の予定をリスト表示させることが可能であり、その左側にスクロールダイヤル１３１及びポジションバー１３２が、その右側に新規予定、新規予約入力用のボタン１３３，１３４が設けられている。この画面において例えば「打ち合わせ」と記されたリスト項目ボタン１３５をクリックすると、図３０に示すように「打ち合わせ」の詳細が表示される。
【００５６】
スタートメニュー画面５１においてアイコン５２ｌが選択されると、モニタ１６には図３１に示すアドレス帳画面１３６が表示される。このアドレス帳画面１３６には、画面中央部に配置されたベースリング１３７と、ベースリング１３７に沿ってその周囲に設けられたサテライトボタン１３８ａ〜１３８ｅとが表示されている。また、アドレス帳画面１３６の下部にはリストボタン１３９が表示され、上部左右にはリストチェンジボタン１４０，１４１が表示され、リストチェンジボタン１４０又はリストチェンジボタン１４１がクリックされるとカーソルの位置するサテライトボタンが変化する。同図においては、電話番号リストのサテライトボタン１３８ｃがカーソルにより選択されており、この状態でリストボタン１３９をクリックすると図３２に示すように表示幕１４２が露出表示される。
【００５７】
表示幕１４２では、電話番号情報が登録されている人の氏名がその中央にリスト表示され、例えば図においてはリスト項目ボタン１４３が選択されているとともに、その右側に対応する人物の写真等が付されたアイコン１４４が表示されている。ここでは、アイコン１４４には「ＴＥＬ」のマークが付記されているが、これは同人物については氏名等の他に電話番号情報が登録されていることを意味し、もしメールアドレス情報も登録されていれば「＠」のマークが、住所情報も登録されていれば「〒」のマークが、ＵＲＬの情報も登録されていれば「ＵＲＬ」のマークがアイコン１４４に付記される。この表示幕１４２の画面左側には、スクロールダイヤル１４５、ポジションバー１４６及び５０音別インデックス１４７が表示されている。
【００５８】
表示幕１４２においてリストボタン１４３がクリックされると、図３３に示すようにリスト項目ボタン１４３についての詳細な情報が新たな表示幕１４８に表示される。この表示幕１４８には、スクロールダイヤル１４９及びポジションバー１５０とともにデータ項目が表示され、同図においては氏名、氏及びそのフリガナ、名及びそのフリガナ、並びにグループの項目のみが表示されているが、スクロールダイヤル１４９により画面を下方にスクロールすることによって「自宅住所」、「会社名」、「会社住所」、「自宅ＴＥＬ」、「携帯ＴＥＬ」、「メール１」、「メール２」、「メール３」、「ＵＲＬ」等の各種項目が表示される。なお、アドレス帳画面１３６においてサテライトボタン１３８ｃ以外の他のサテライトボタンを選択したときにも表示幕１４２と同様の表示幕が表示され、その表示幕においてリスト項目ボタンをクリックすると表示幕１４８と同様の表示幕を表示させることができる。
【００５９】
以上説明した以外にも、スタートメニュー画面５１には他のアイコンが用意されているが、他のアイコンではモニタ１６を一杯に使った表示が優先されることも多いため、必ずしもベースリングやサテライトボタン等は表示されない。例えばスタートメニュー画面においてアイコン５２ｄが選択された場合には、モニタ１６には図３４に示すようにＴＶ放送画面１５１が表示され、このとき操作ボタン１７ｂ（メニューボタン）が操作されると画面下部には図３５に示すようなツールバー１５２が表示される。また、スタートメニュー画面においてアイコン５２ｆが選択された場合には、モニタ１６には図３６に示すようにインターネット画面１５３が表示され、このとき操作ボタン１７ｂ（メニューボタン）が操作されると画面下部には図３７に示すようなツールバー１５４が表示される。さらに、スタートメニュー画面においてアイコン５２ｋが選択された場合には、モニタ１６には図３８に示すようなカーナビゲーション画面１５５が表示される。
【００６０】
以上説明したように、本発明に係る情報表示装置において、表示幕を表示させる場合には表示幕を引き上げるように順次露出表示させ、表示幕を消去させる場合には表示幕を引き下げるように順次退出消去させることとしたので、幕の開閉という一般ユーザが馴染み易い画面切り替え方法を用いることができ、異なる画面を表示させる際の外観上のわかり易さ、面白さをユーザに与えることが可能となる。
【００６１】
また、各アプリケーションの情報が表示される情報表示部が形成されるベースリングと、このベースリングの周囲に設けられたサテライトボタンとを基本構成として、各アプリケーションの操作画面が形成されているので、アプリケーションの種類に拘わらずに操作画面上の統一感を図ることが可能となり、操作性を向上させることができる。
【００６２】
サテライトボタンが機能ごとに区分けられて配置されているので、ユーザがサテライトボタンの機能を配置位置から容易に把握することができ、さらに、リモコンの操作キーを左右に操作することにより機能ごとに区分けされたサテライトボタン群を選択し、上下に操作することによりサテライトボタン群内のサテライトボタンを選択することができるので、目的の機能を備えたサテライトボタンを感覚的に選び出すことができ容易にサテライトボタンの選択を行うことができる。さらに、操作キーの操作により選択されたサテライトボタンは、拡大表示されたり反転表示されたりするので、視覚的に選択項目を確認することができ、操作性を一層向上させることが可能となる。
【００６３】
また、スクロールダイヤルを操作することによりスクロールダイヤルを回転表示させつつ画面をスクロールさせるので、視覚的に表示範囲の切り替え操作を行うことができるとともに、スクロールダイヤルをあたかも回転させるかのようにして擦ることによって、ダイヤルを回転させながらモニタ１６に表示される画面をスクロールさせているような感覚をユーザに与えることができるので、操作上、外観上の馴染みやすさを生じさせることが可能となる。
【００６４】
なお、本発明は上述した形態に限られるものではなく、例えばリストチェンジボタンのクリックにより既に表示されている表示幕を新たな表示幕にすり替える際には、既に表示されている表示幕を一旦下方に退出消去させた後に新たな表示幕を下方から露出表示させるのではなく、既に表示されている表示幕を瞬時に消去させて新たな表示幕を瞬時に表示させることとしてもよい。すなわち、図８の表示幕６１について言えば、それが表示幕６５に変えられる際には表示幕６１が引き下ろされるようにして一旦下方に退出消去したが、このように表示幕６１を引き下ろされるように退出消去させた後に表示幕６５を引き上げるようにして順次露出表示させるのではなく、リストチェンジボタン６２（又はリストチェンジボタン６８）がクリックされた瞬間に表示幕の内容が変更されるようにしてもよい。
【００６５】
あるいは、既に表示されている表示幕を瞬時に消去させ、新たな表示幕を全体的に徐々に浮き上がらせるように表示させてもかまわない。これを上記表示幕６１及び表示幕６５に適用するならば、まず表示幕６１を瞬時に消去させて、そのときに見えるはずの図６に示す画面（ラジオ画面５７）の手前に新しい表示幕６５の画像を透過率８０〜１００％程度で重ねて表示させる（透過率１００％であれば表示幕６５は完全に見えず、透過率８０％程度であれば表示幕６５は薄く見える。）。その後、順次透過率を下げていくことにより表示幕６５が徐々に現れ、最終的には透過率を０％とすることによりラジオ画面５７のベースリング５８、サテライトボタン５９ａ〜５９ｉ等が完全に見えなくなり、モニタ１６には図９に示す画面が表示される。このようにいわゆるアルファブレンドの手法を使うことによって、モニタ１６の表示において視覚的な演出を高めることが可能で、一例として透過率が高いときにはその時間的変化率を大きく、そして透過率が低くなるほど時間的変化率を小さくすることによって、表示を見る者が新しい表示幕が見えだしてから（あるいははっきりし出してから）の変化を容易に認識することができるようになり、その見映えが非常に優れたものとなる。さらに、既に表示されている表示幕を消去させる際にも、上述したアルファブレンドの手法を用いて徐々に画面から消えていくように消去させてもよい。なお、新しい表示幕を奥側に表示し、その手前側に重ねて表示された背景画面を透過率０〜１００％に上げていくようにしても同様の効果が得られる。
【００６６】
また、表示幕が表示されていないときにリストボタンをクリックして、表示幕を下方から引き上げるように露出表示し、再度リストボタンをクリックすることにより表示幕を下方へ引き下ろされるようにして退出消去させるものとして説明を行ったが、表示幕は瞬時に表示したり瞬時に消去したりしても良く、また、上述したアルファブレンドの手法を用いて徐々に表示させたり徐々に消去したりしても良い。
【００６７】
さらにまた、表示幕の表示および消去、新たな表示幕の表示についての幕の引き上げ、引き下げ、瞬時表示、瞬時消去、アルファブレンドの手法を用いた表示及び消去等といった各種表示方法を任意に組み合わせても良い。
【００６８】
【発明の効果】
本発明に係る画像表示装置は、以上説明したように、情報表示部が形成されるベースリングと、このベースリングの周囲に設けられたサテライトボタンとを基本構成として画面が形成されるので、アプリケーションの種類に拘わらずに操作画面上の統一感を図ることが可能となり、操作性を向上させることができるとともに、ユーザに対して外観上のわかり易さ、馴染み易さを与えることが可能となる。
【００６９】
また、サテライトボタンが機能ごとに区分けられて配置されているので、ユーザがサテライトボタンの機能を配置位置から容易に把握することができ、さらに、選択手段のコントローラをサテライトボタン群の配置位置方向に操作することによりサテライトボタン群を選択し、サテライトボタンの配列方向に操作することによりサテライトボタン群内のサテライトボタンを選択することができるので、目的の機能を備えたサテライトボタンを感覚的に選び出すことができ、容易にサテライトボタンの選択を行うことができる。
【００７０】
また、操作キーの操作により選択されたサテライトボタンは、拡大表示されたり反転表示されたりするので、視覚的に選択項目を確認することができ、一層操作性を向上させることが可能となる。
【図面の簡単な説明】
【図１】本発明に係る情報表示装置を示した正面図である。
【図２】本発明に係る情報表示装置の本体部とディスプレイ部とを示した正面図である。
【図３】本発明に係る情報表示装置の内部回路を示したブロック図である。
【図４】本発明に係る情報表示装置のデイスプレイ部に表示された時計表示画面を示した図である。
【図５】本発明に係る情報表示装置のデイスプレイ部に表示されたスタートメニュー画面を示した図であり、（ａ）はスタートメニュー画面の上側に位置するアイコンを示した図であり、（ｂ）はスタートメニュー画面の下側に位置するアイコンを示した図である。
【図６】本発明に係る情報表示装置のデイスプレイ部に表示されたラジオ画面を示した図である。
【図７】本発明に係る情報表示装置のデイスプレイ部に表示されたラジオ画面において、表示幕が引き上げられるように順次露出表示される様子を示した図である。
【図８】本発明に係る情報表示装置のデイスプレイ部に表示されたラジオ画面において、放送局リストを示す表示幕が表示された画面を示した図である。
【図９】本発明に係る情報表示装置のデイスプレイ部に表示されたラジオ画面において、プリセットリストを示す表示幕が表示された画面を示した図である。
【図１０】本発明に係る情報表示装置のデイスプレイ部に表示されたメディアプレーヤー画面（ＭＡＩＮ　ＳＬＯＴ）を示した図である。
【図１１】本発明に係る情報表示装置のデイスプレイ部に表示されたメディアプレーヤー画面において、表示幕が引き上げられるように順次露出表示される様子を示した図である。
【図１２】本発明に係る情報表示装置のディスプレイ部に表示されたメディアプレーヤー画面において、ＭＡＩＮ　ＳＬＯＴの情報（アルバムタイトル）を示す表示幕が表示された画面を示した図である。
【図１３】本発明に係る情報表示装置のデイスプレイ部に表示されたメディアプレーヤー画面（ＣＡＲＤ　ＳＬＯＴ）を示した図である。
【図１４】本発明に係る情報表示装置のデイスプレイ部に表示されたメディアプレーヤー画面において、ＣＡＲＤ　ＳＬＯＴの情報（アルバムタイトル）を示す表示幕が表示された画面を示した図である。
【図１５】本発明に係る情報表示装置のデイスプレイ部に表示されたメール画面を示した図である。
【図１６】本発明に係る情報表示装置のデイスプレイ部に表示されたメール画面において、受信箱の内容を示す表示幕が表示された画面を示した図である。
【図１７】本発明に係る情報表示装置のデイスプレイ部に表示されたメール画面において、メールの内容を示す表示幕が表示された画面を示した図である。
【図１８】本発明に係る情報表示装置のデイスプレイ部に表示されたメール画面において、メールの送受信が行われている様子を示した図である。
【図１９】本発明に係る情報表示装置のデイスプレイ部に表示されたメール作成画面を示した図である。
【図２０】本発明に係る情報表示装置のデイスプレイ部に表示されたキーボード画面を示した図である。
【図２１】本発明に係る情報表示装置のデイスプレイ部に表示された電話画面を示した図である。
【図２２】本発明に係る情報表示装置のデイスプレイ部に表示された電話画面において、電話番号リストの内容を示す表示幕が表示された画面を示した図である。
【図２３】本発明に係る情報表示装置のデイスプレイ部に表示された電話画面において、発信履歴の内容を示す表示幕が表示された画面を示した図である。
【図２４】本発明に係る情報表示装置のデイスプレイ部に表示された電話画面において、着信履歴の内容を示す表示幕が表示された画面を示した図である。
【図２５】図２４に示した表示幕のリストボタンをクリックすることによりデイスプレイ部に表示された電話画面を示した図である。
【図２６】本発明に係る情報表示装置のデイスプレイ部に表示されたスケジューラー画面を示した図である。
【図２７】本発明に係る情報表示装置のデイスプレイ部に表示されたスケジューラー画面において、カレンダーを示す表示幕が表示された画面を示した図である。
【図２８】本発明に係る情報表示装置のデイスプレイ部に表示されたスケジューラー画面において、日リストを示す表示幕が表示された画面を示した図である。
【図２９】本発明に係る情報表示装置のデイスプレイ部に表示されたスケジューラー画面において、直近リストを示す表示幕が表示された画面を示した図である。
【図３０】本発明に係る情報表示装置のデイスプレイ部に表示されたスケジューラー画面において、スケジュールの詳細内容を示す表示幕が表示された画面を示した図である。
【図３１】本発明に係る情報表示装置のデイスプレイ部に表示されたアドレス帳画面を示した図である。
【図３２】本発明に係る情報表示装置のデイスプレイ部に表示されたアドレス帳画面において、電話番号リストを示す表示幕が表示された画面を示した図である。
【図３３】本発明に係る情報表示装置のデイスプレイ部に表示されたアドレス帳画面において、リスト者の各種情報を示す表示幕が表示された画面を示した図である。
【図３４】本発明に係る情報表示装置のデイスプレイ部に表示されたＴＶ放送画面を示した図である。
【図３５】本発明に係る情報表示装置のデイスプレイ部に表示されたＴＶ放送画面において、ツールバーが表示された画面を示した図である。
【図３６】本発明に係る情報表示装置のデイスプレイ部に表示されたインターネット画面を示した図である。
【図３７】本発明に係る情報表示装置のデイスプレイ部に表示されたインターネット画面において、ツールバーが表示された画面を示した図である。
【図３８】本発明に係る情報表示装置のデイスプレイ部に表示されたナビゲーション画面を示した図である。
【符号の説明】
１　車載用パーソナルコンピュータ（情報表示装置）
６　操作ボタン（選択手段）
８　カードスロット（読取機構）
９　ＵＳＢボート（読取機構）
１５　ディスプレイ部（モニタ）
１６　ディスプレイ（モニタ）
１８、２１　キーマイコン（選択手段）
２０　タッチキーセンサ（選択手段）
２８　ＤＶＤメカモジュール（読取機構）
３１　ＣＰＵ（表示制御手段）
３４　グラフィックチップ（表示制御手段）
６０、７２、８６、１００、１１７、１３９　リストボタン（第一のタブ）
６１、６５、７３、７６、８９、１０３、１０４、１０５、１２０、１２４、１３０、１４２、１４８　表示幕
６２、６８、７４、７５、８７、８８、１０１、１０２、１１８、１１９、１４０、１４１　リストチェンジボタン（第二のタブ）
６３、７７、７９、９１、１０６、１０９、１１１、１２１、１２５、１３１、１４５、１４９　スクロールダイヤル
６４、７８、８０、９２、１０７、１１０、１１２、１２２、１２６、１３２、１４６、１５０　ポジションバー
９９　テンキーボタン
【図１】
2004013609.tif 000003
【図２】
2004013609.tif 000004
【図３】
2004013609.tif 000005
【図４】
2004013609.tif 000006
【図５】
2004013609.tif 000007
【図６】
2004013609.tif 000008
【図７】
2004013609.tif 000009
【図８】
2004013609.tif 000010
【図９】
2004013609.tif 000011
【図１０】
2004013609.tif 000012
【図１１】
2004013609.tif 000013
【図１２】
2004013609.tif 000014
【図１３】
2004013609.tif 000015
【図１４】
2004013609.tif 000016
【図１５】
2004013609.tif 000017
【図１６】
2004013609.tif 000018
【図１７】
2004013609.tif 000019
【図１８】
2004013609.tif 000020
【図１９】
2004013609.tif 000021
【図２０】
2004013609.tif 000022
【図２１】
2004013609.tif 000023
【図２２】
2004013609.tif 000024
【図２３】
2004013609.tif 000025
【図２４】
2004013609.tif 000026
【図２５】
2004013609.tif 000027
【図２６】
2004013609.tif 000028
【図２７】
2004013609.tif 000029
【図２８】
2004013609.tif 000030
【図２９】
2004013609.tif 000031
【図３０】
2004013609.tif 000032
【図３１】
2004013609.tif 000033
【図３２】
2004013609.tif 000034
【図３３】
2004013609.tif 000035
【図３４】
2004013609.tif 000036
【図３５】
2004013609.tif 000037
【図３６】
2004013609.tif 000038
【図３７】
2004013609.tif 000039
【図３８】
2004013609.tif 000040